(57)【要約】【課題】外部機器の増設、撤去又は故障機器の交換などを行うにあたって、各外部機器との接続状態の把握に要する時間と手間を削減でき、増設、撤去又は交換の対象となる機器が接続された接続口の位置を容易に特定できる取引処理装置を提供する。【解決手段】外部機器を用いて取引処理を行う取引処理装置であって、外部機器が接続される接続口を複数有する外部機器接続部と、外部機器の情報を表示する表示部と、表示部による表示を制御する制御部と、を備える。制御部は、接続口に接続された外部機器が有する機能を識別可能な機能名称と、外部機器が接続された接続口に関する接続口情報と、を対応付けて表示部に表示させる。【選択図】図２
2016081354.tif 000002
【特許請求の範囲】
【請求項１】
外部機器を用いて取引処理を行う取引処理装置であって、
前記外部機器が接続される接続口を複数有する外部機器接続部と、
前記外部機器の情報を表示する表示部と、
前記表示部による表示を制御する制御部と、
を備え、
前記制御部は、前記接続口に接続された外部機器が有する機能を識別可能な機能名称と、前記外部機器が接続された接続口に関する接続口情報と、を対応付けて前記表示部に表示させる、取引処理装置。
【請求項２】
請求項１に記載の取引処理装置であって、
前記接続口情報は、前記外部機器が接続された接続口の識別情報、又は、前記外部機器接続部に対する前記外部機器が接続された接続口の位置情報を含む、取引処理装置。
【請求項３】
請求項２に記載の取引処理装置であって、
前記制御部は、前記機能名称、前記接続口の識別情報、及び前記接続口の位置情報を対応付けて前記表示部に表示させる、取引処理装置。
【請求項４】
請求項３に記載の取引処理装置であって、
入力操作を受け付ける入力操作部を備え、
前記制御部は、前記入力操作部により前記機能名称又は前記接続口の識別情報に対する入力操作が受け付けられた場合、前記機能名称又は前記接続口の識別情報に対応付けられた前記接続口の位置情報を前記表示部に表示させる、取引処理装置。
【請求項５】
請求項４に記載の取引処理装置であって、
前記制御部は、前記入力操作部により前記機能名称又は前記接続口の識別情報に対する入力操作が反復して受け付けられた場合、前記機能名称又は前記接続口の識別情報に対応付けられた前記接続口の位置情報と、当該取引処理装置に対する前記外部機器接続部の配置位置の情報と、を切り替えて前記表示部に表示させる、取引処理装置。
【請求項６】
請求項２ないし５のいずれか１項に記載の取引処理装置であって、更に、
前記接続口の位置情報は、前記外部機器接続部に対する前記外部機器が接続された接続口の配置位置を示す画像情報を含む、取引処理装置。
【請求項７】
請求項１ないし６のいずれか１項に記載の取引処理装置であって、更に、
前記外部機器接続部を覆うカバーを備える、取引処理装置。
【請求項８】
請求項１ないし７のいずれか１項に記載の取引処理装置であって、
前記外部機器が設置される設置台に設置される、取引処理装置。
【請求項９】
請求項１ないし８のいずれか１項に記載の取引処理装置であって、
前記接続口には、挿抜自在に取り付けられるケーブルを介して前記外部機器が接続される、取引処理装置。
【請求項１０】
外部機器を用いて取引処理を行う取引処理装置における接続表示方法であって、
前記外部機器が接続される接続口に接続された外部機器が有する機能を識別可能な機能名称と、前記外部機器が接続された接続口に関する接続口情報と、を取得するステップと、
前記取得された前記機能名称と前記接続口情報とを対応付けて表示部により表示するステップと、
を備える接続表示方法。
【請求項１１】
請求項１０に記載の接続表示方法の各ステップをコンピュータに実行させるための接続表示プログラム。
【発明の詳細な説明】
【技術分野】
【０００１】
本発明は、取引処理装置、接続表示方法及び接続表示プログラムに関する。
【背景技術】
【０００２】
従来、店舗内の決済処理等を行うレジカウンタ（レジ台）には、商品の販売等を即時に管理するＰＯＳ（Ｐｏｉｎｔ  ｏｆ  Ｓａｌｅｓ）端末装置や、カードの有効性等を確認する取引処理装置（例えばカード決済端末）が設置される。
【０００３】
従来の取引処理に使用される電子装置として、例えば、ＰＯＳ端末部及びディスプレイを備えたＰＯＳ端末装置が知られている（例えば特許文献１参照）。ＰＯＳ端末部には、キャッシュドロワ用端子、ＵＳＢ（Ｕｎｉｖｅｒｓａｌ  Ｓｅｒｉａｌ  Ｂｕｓ）ポート、マウス用ポート、キーボード用ポートが配設される。これらのポート（接続口）には、外部機器が接続され、ＰＯＳ端末部の各ポートは背面カバーで覆われる。
【先行技術文献】
【特許文献】
【０００４】
【特許文献１】特開２００９−９８７０５号公報（図３、図４）
【発明の概要】
【発明が解決しようとする課題】
【０００５】
取引処理装置は、ネットワークを介して決済センタに接続される。そして、取引処理装置に接続される外部機器（周辺機器）は、磁気カード・接触型ＩＣカード・非接触型ＩＣカード・クレジットカード・電子マネー機能を有するカード又は機器などの読取装置、バーコード又はクーポンの読取装置、ＰＩＮ（Ｐｅｒｓｏｎａｌ  Ｉｄｅｎｔｉｆｉｃａｔｉｏｎ  Ｎｕｍｂｅｒ）パッド、サインパッドなど、増加の一途である。それに加えて取引処理装置は、ＰＯＳに接続される場合もある。以上のように、取引処理装置に接続される外部機器の数は増加している。それに伴い、各外部機器と取引処理装置とを接続する配線の数も増加している。
【０００６】
さらに、取引処理装置に接続される外部機器は、店舗によって必要とされる機能が異なるため、多種多様である。そして、同じ店舗であっても、途中で新たに必要となった機能を有する外部機器の増設、不要になった機能を有する外部機器の撤去、故障した外部機器又は取引処理装置の交換などにより、取引処理装置及び各外部機器の導入時期と経歴は、それぞれ異なる。
【０００７】
以上のように、店舗によって多種多様であり、かつ同じ店舗であっても導入時期と経歴が異なる取引処理装置と各外部機器との接続状態の全てを、保守担当者が把握し続けることは困難である。保守担当者は、外部機器の増設、撤去又は故障機器の交換をできるだけ短時間で行う必要があるが、店舗の取引処理装置が設置されている場所へ到着したら、まず取引処理装置と各外部機器との接続状態を把握することから始めなければならない。
【０００８】
しかしながら、取引処理装置に設けられた物理ポートは、塵や埃の侵入と、この塵や埃への水分（湿気）の付着を防止するために、特許文献１に記載されたＰＯＳ端末装置のＰＯＳ端末部の背部と同様に、カバーで覆われている。そして、取引処理装置と各外部機器とを接続する配線ケーブル群は、できるだけ目立たないように、取引処理装置と各外部機器が設置された設置台の下に配線され、スパイラルチューブ状に束ねられていることが多い。したがって保守担当者は、取引処理装置と各外部機器との接続状態を把握するために、まず取引処理装置のカバーを外し、次に取引処理装置に繋がるケーブルを辿って、各外部機器が接続されるコネクタの位置を特定しなければならない。
【０００９】
取引処理装置と各外部機器との接続状態を工事図面として記録する場合、保守担当者は、工事を終了してシステム構成が変更となる度に、工事図面を修正するという手間がかかる。店舗に多数の取引処理装置が設置されている中〜大規模店舗の場合には、なおさら多くの時間と手間を要する。前回の工事において保守担当者が工事図面の修正を忘れたり、間違った修正を行ったり、工事図面と同じ接続状態を復元しなかったりした場合、結果的に工事図面は役に立たないものとなる。したがって保守担当者は、取引処理装置と各外部機器との接続状態を把握するために、ケーブルを設置台などへ固定してある束線バンドを切断して、束ねて配線された線材を一旦バラバラにして１本１本を目視で辿り易くする。そして保守担当者は、取引処理装置のカバーを外し、次に取引処理装置に繋がるケーブルを辿って、各外部機器が接続されるコネクタの位置を特定しなければならない。コネクタの位置の特定後は、先程バラバラにした線材を、再度束線バンドで束ね、設置台へ再度固定する工事を強いられる。
【００１０】
以上のように従来の取引処理装置では、外部機器の増設、撤去又は故障機器の交換などを行うにあたって行われる、各外部機器との接続状態の把握に時間と手間がかかる、という課題があった。
【００１１】
本発明は、上記事情に鑑みてなされたものであり、取引処理装置に対して外部機器の増設、撤去又は故障機器の交換などを行うにあたって、各外部機器との接続状態の把握に要する時間と手間を削減できる取引処理装置、接続表示方法及び接続表示プログラムを提供する。
【課題を解決するための手段】
【００１２】
本発明の取引処理装置は、外部機器を用いて取引処理を行う取引処理装置であって、前記外部機器が接続される接続口を複数有する外部機器接続部と、前記外部機器の情報を表示する表示部と、前記表示部による表示を制御する制御部と、を備え、前記制御部は、前記接続口に接続された外部機器が有する機能を識別可能な機能名称と、前記外部機器が接続された接続口に関する接続口情報と、を対応付けて前記表示部に表示させる。
【００１３】
本発明の接続表示方法は、外部機器を用いて取引処理を行う取引処理装置における接続表示方法であって、前記外部機器が接続される接続口に接続された外部機器が有する機能を識別可能な機能名称と、前記外部機器が接続された接続口に関する接続口情報と、を取得するステップと、前記取得された前記機能名称と前記接続口情報とを対応付けて表示部により表示するステップと、を備える。
【００１４】
本発明の接続表示プログラムは、上記接続表示方法の各ステップをコンピュータに実行させるためのプログラムである。
【発明の効果】
【００１５】
本発明によれば、外部機器の増設、撤去又は故障機器の交換などを行うにあたって、各外部機器との接続状態の把握に要する時間と手間を削減できる。そして、増設、撤去又は交換の対象となる機器が接続された接続口の位置を容易に特定できる。
【図面の簡単な説明】
【００１６】
【図１】実施形態における決済端末装置を含む決済システムの概略構成例を示す模式図
【図２】実施形態における決済端末装置の構成例を示すブロック図
【図３】（Ａ）実施形態におけるカバーが閉じている場合のコネクタ接続部の外観例を示す模式図、（Ｂ）実施形態におけるカバーが開いている場合のコネクタ接続部の外観例を示す模式図
【図４】実施形態における決済端末装置が行う処理のメニュー構造の一例を示す模式図
【図５】実施形態におけるＵＳＢ接続確認時による決済端末装置の動作例を示すフローチャート
【図６】（Ａ）〜（Ｄ）実施形態における入力操作に従って遷移するタッチパネルの画面例を示す模式図
【図７】（Ａ）〜（Ｄ）実施形態における入力操作に従って遷移するタッチパネルの画面例を示す模式図（図６の続き）
【図８】（Ａ）実施形態における入力操作が繰り返し行われることによって順次遷移するポート識別画像の一例を示す模式図、（Ｂ）実施形態における物理ポートがＵＳＢハブの物理ポートである場合に、入力操作が繰り返し行われることによって順次遷移するポート識別画像の一例を示す模式図、
【発明を実施するための形態】
【００１７】
以下、本発明の実施形態について、図面を用いて説明する。
【００１８】
（本発明の一形態を得るに至った経緯）
電子装置では、電子装置に設けられた物理ポートに塵や埃が侵入し、この塵や埃に水分が付着すると、短絡等により電子装置が故障することがある。このため、特許文献１に記載されたＰＯＳ端末装置のＰＯＳ端末部の背部は、カバーで覆われており、塵や埃が物理ポートに侵入することを防止する。また、カバーは、物理ポートに接続された端子が脱落することも防止する。
【００１９】
しかし、取引処理装置に配設された物理ポートがカバーで覆れると、取引処理装置のユーザは、取引処理装置の外部から物理ポートを直接目視することが困難になる。近年、例えば店舗内のカウンタでは、取引処理装置の他、取引処理装置にコネクタ接続される多くの外部機器（例えば周辺機器）が設置されており、その数は増加している。
【００２０】
取引処理装置の保守、故障、移設等により取引処理装置に対する作業が発生した場合、外部機器が接続された物理ポートの位置を特定する必要が生じる。この場合、ユーザは物理ポートの位置を目視することが困難であるので、例えば、取引処理装置に繋がるケーブルを辿ってコネクタ位置を特定することになる。しかし、多くのケーブルやコネクタが混在する中でのコネクタ位置の特定作業は困難である。
【００２１】
また、カバーの有無に拘わらず、例えば複数のケーブルがスパイラルチューブ状に束ねられている場合でも、外部機器が接続されたコネクタ位置を特定することは困難である。また、例えば、ケーブル群が見えないように、取引処理装置が設置された設置台の下にケーブル群が配置された場合、外部機器が接続されたコネクタ位置を特定することは困難である。
【００２２】
以下、外部機器が接続される接続口の位置の目視が困難な場合でも、接続口の位置を容易に特定できる取引処理装置、接続表示方法及び接続表示プログラムについて説明する。
【００２３】
以下の実施形態の取引処理装置は、例えば、据え置き型の決済端末装置に適用される。
【００２４】
（第１の実施形態）
図１は、実施形態における決済端末装置１００を含む決済システム５の概略構成例を示す模式図である。決済システム５では、決済端末装置１００及び決済センタ装置２００が、イントラネット６０及びインターネット７０を介して接続される。
【００２５】
決済システム５は、例えば、決済端末装置１００、ＰＯＳ端末装置１５０、決済端末装置１００に接続される各種の外部機器（例えば周辺機器）、及び決済センタ装置２００を備える。決済システム５では、上記外部機器の少なくとも一部が省略されてもよい。
【００２６】
決済端末装置１００は、例えば、店舗のレジカウンタ（レジ台）３００に設置される。レジカウンタ３００には、決済端末装置１００の他、例えば、ＰＯＳ端末装置１５０や外部機器が設置される。
【００２７】
ＰＯＳ端末装置１５０は、例えば、店舗で販売している商品の情報を予め登録しておき、販売時に商品の情報を更新することで、商品の販売を管理する。ＰＯＳ端末装置１５０は、端末部１５１、ディスプレイ１５２、及びバーコードリーダ１５３を備える。
【００２８】
例えば店員は、バーコードリーダ１５３を用いて、購入商品に付されたバーコードを読み取る操作を行う。端末部１５１は、バーコードリーダ１５３により読み取られたバーコードの情報をもとに、検索した商品の情報をディスプレイ１５２に表示させ、内蔵プリンタ（図示せず）により購入商品のレシートを印刷する。
【００２９】
また、商品がクレジットカードで購入される場合、ＰＯＳ端末装置１５０は、例えば、購入商品の情報を決済端末装置１００に送信し、決済端末装置１００からカード決済結果の情報を受信する。
【００３０】
決済端末装置１００は、例えば、ネットワークケーブル１２１を介して店舗内ネットワークとしてのイントラネット６０に接続され、インターネット（公衆通信網）７０に接続され、決済センタ装置２００との間でカード決済処理を行う。
【００３１】
決済端末装置１００には、外部機器として、例えば、非接触ＩＣ（Ｉｎｔｅｇｒａｔｅｄ  Ｃｉｒｃｕｉｔ）カードリーダライタ４１がＵＳＢケーブル４１Ａを介して接続される。
【００３２】
決済端末装置１００には、外部機器として、例えば、ＰＩＮパッド４２がＵＳＢケーブル４２Ａを介して接続される。
【００３３】
決済端末装置１００には、外部機器として、例えば、４つのＵＳＢポートを備えるＵＳＢハブ４３がＵＳＢケーブル４３Ａを介して接続される。ＵＳＢハブ４３には、例えば、ＵＳＢケーブル４４Ａ、を介してサインパッド４４が接続され、ＵＳＢケーブル４５Ａを介してバーコードリーダ４５が接続される。
【００３４】
このように、レジカウンタ３００には多くの外部機器が設置されるので、レジカウンタ３００は、埃や塵が溜まり易い環境にあり、各外部機器を繋ぐ多くのケーブル（例えば、信号線、電力線）が配線された煩雑な環境となり易い。
【００３５】
尚、決済端末装置１００の物理ポートには、ケーブルや端子が挿抜自在に取り付けられる。
【００３６】
図２は、決済端末装置１００の構成例を示すブロック図である。決済端末装置１００は、ＣＰＵ（Ｃｅｎｔｒａｌ  Ｐｒｏｃｅｓｓｉｎｇ  Ｕｎｉｔ）２１、磁気カードリーダ部２２、接触式ＩＣカードリーダライタ部２３、非接触ＩＣカードリーダライタ部２４、及びループアンテナ部２４Ａを備える。決済端末装置１００は、プリンタＩ／Ｆ（Ｉｎｔｅｒｆａｃｅ）部２５、内蔵プリンタ２６、キー入力部２７、タッチパネル３０、ＵＳＢ＿Ｉ／Ｆ部３１、有線ネットワークＩ／Ｆ部３２、広域無線通信部３３、及び局所無線通信部３４を備える。決済端末装置１００は、フラッシュＲＯＭ（Ｒｅａｄ  Ｏｎｌｙ  Ｍｅｍｏｒｙ）３５、及びＲＡＭ（Ｒａｎｄｏｍ  Ａｃｃｅｓｓ  Ｍｅｍｏｒｙ）３６、及びシリアルＩ／Ｆ部３７を有する。
【００３７】
ＣＰＵ２１は、例えば、フラッシュＲＯＭ３５又はＲＡＭ３６に記憶されたプログラム（例えば接続表示プログラム）を実行することで、制御部として動作し、決済端末装置１００を統括し、各種の処理を行う。例えば、ＣＰＵ２１は、表示部２９による表示を制御する。例えば、ＣＰＵ２１は、物理ポートへの外部機器の接続を検出する機能を有する。
【００３８】
磁気カードリーダ部２２は、磁気カードの情報（磁気ストライプ）を読み取るためのパスとなるスリットを有し、ユーザ（例えば店員）がこのスリットを通るように、磁気カードをスライド（スワイプ）させると、磁気カードの情報を読み出す。磁気カードとして、例えば、磁気クレジットカード、デビットカード、プリペイドカード、ポストペイカード、ポイントカード、クーポン、電子商品券が使用される。
【００３９】
接触式ＩＣカードリーダライタ部２３は、接触式ＩＣカードリーダライタ部２３の前面にスリットを有し、ユーザ（例えば店員）が接触式ＩＣカードをこのスリットに挿入することで、接触式ＩＣカードの情報を読み取る。接触式ＩＣカードとして、例えば、ＩＣクレジットカード、電子商品券が使用される。
【００４０】
非接触ＩＣカードリーダライタ部２４は、ループアンテナ部２４Ａを内蔵し、ユーザ（例えば客）が非接触ＩＣカードをループアンテナ部２４Ａに近接させる操作を行うことで、非接触ＩＣカードの情報を読み取る。非接触ＩＣカードとして、例えば、ＩＣクレジットカード、電子マネー、電子商品券が使用される。
【００４１】
プリンタＩ／Ｆ部２５は、例えば、パラレルインタフェース又はシリアルインタフェースを含む。このパラレルインタフェースは、例えば、ＩＥＥＥ１２８４、ＩＥＥＥ４８８を含む。このシリアルインタフェースは、例えば、ＲＳ２３２Ｃを含む。プリンタＩ／Ｆ部２５には、内蔵プリンタ２６が接続される。
【００４２】
内蔵プリンタ２６は、プリンタＩ／Ｆ部２５を介してＣＰＵ２１と接続され、ＣＰＵ２１からの印字指示に従って、例えば、購入商品のレシートを印刷する。
【００４３】
キー入力部２７は、テンキー等の入力キーを有し、入力キーからの入力を受け付ける機能を有する。キー入力部２７により、例えば、後述する図４のメニューのいずれかの選択（メニュー選択）、選択されたメニューの処理に必要な情報の入力、が行われる。尚、キー入力部２７は、例えば、認証情報（例えばＰＩＮ，署名の情報）の高いセキュリティを有する情報の入力を行わない。
【００４４】
タッチパネル３０は、タッチ入力部２８の検出面と表示部２９の画面とを重ね合わせた構造を有する。表示部２９は、タッチパネル３０の表示を制御し、各種情報（例えば外部機器の情報）を表示する。タッチ入力部２８はタッチパネル３０に対するタッチ入力を検出する。表示部２９及びタッチ入力部２８は、例えば、ＣＰＵ２１の制御により動作する。タッチ入力部２８は、入力操作部の一例である。
【００４５】
ＵＳＢ＿Ｉ／Ｆ部３１は、ＵＳＢが接続される物理ポートを１つ以上有し、外部機器との間でデータを通信する。ＵＳＢ＿Ｉ／Ｆ部３１には、例えば、各種の外部機器に接続されるＵＳＢケーブルのＵＳＢ端子が接続される。ＵＳＢ＿Ｉ／Ｆ部３１には、例えば、非接触ＩＣカードリーダライタ４１、ＰＩＮパッド４２、及びＵＳＢハブ４３が接続される。物理ポートは、外部機器が接続される接続口の一例である。
【００４６】
有線ネットワークＩ／Ｆ部３２は、例えば、ネットワークインタフェース（例えば有線ＬＡＮ（Ｌｏｃａｌ  Ａｒｅａ  Ｎｅｔｗｏｒｋ）のインタフェース）である。有線ネットワークＩ／Ｆ部３２は、決済端末装置１００をイントラネット６０やインターネット７０を介して決済センタ装置２００へ接続する。
【００４７】
広域無線通信部３３は、広域無線通信アンテナ３３Ａと接続され、広域無線通信路（例えばＷＡＮ（Ｗｉｄｅ  Ａｒｅａ  Ｎｅｔｗｏｒｋ））を介して通信する。広域無線通信路における通信は、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ）２０００、ＬＴＥ（Ｌｏｎｇ  Ｔｅｒｍ  Ｅｖｏｌｕｔｉｏｎ）等の移動体通信を用いて行われてもよい。広域無線通信部３３は、例えば、イントラネット６０やインターネット７０を介して決済センタ装置２００と通信する。
【００４８】
局所無線通信部３４は、局所無線通信アンテナ３４Ａと接続され、局所無線通信路（例えば無線ＬＡＮ）を介して通信する。局所無線通信部３４は、無線ＬＡＮ通信以外の通信（例えばＢｌｕｅｔｏｏｔｈ（登録商標）通信）を行ってもよい。局所無線通信部３４は、例えば、イントラネット６０やインターネット７０を介して決済センタ装置２００と通信する。
【００４９】
フラッシュＲＯＭ３５は、各種のデータを記憶する。記憶されるデータは、例えば、業務（例えば決済）に関わるデータでもよいし、決済端末装置１００を制御するためのプログラム（例えば接続表示プログラム）でもよい。
【００５０】
ＲＡＭ３６は、例えば、決済端末装置１００が演算処理を行う際、演算処理の途中において発生する処理データを、一時的に記憶するために用いられる。ＲＡＭ３６は、例えば、外部機器の決済端末装置１００に対する接続に関する情報（例えばＵＳＢ接続確認に係る情報）を記憶する。ＵＳＢ接続確認に係る情報は、例えば、接続デバイス名、物理ポート名、ポート配置図（例えば図７（Ｂ）〜（Ｄ）参照）の情報を含む。
【００５１】
接続デバイス名は、物理ポートに接続された外部機器が有する機能の情報の一例である。物理ポート名は、外部機器が接続された物理ポートの識別情報の一例である。ポート配置図は、後述するコネクタ接続部１１０に対する外部機器が接続された物理ポートの配置位置の情報の一例である。
【００５２】
シリアルＩ／Ｆ部３７は、シリアルインタフェース（例えばＲＳ２３２Ｃ）であり、シリアルケーブル１５０Ａを介してＰＯＳ端末装置１５０と接続される。
【００５３】
非接触ＩＣカードリーダライタ４１は、ＵＳＢケーブル４１Ａを介して決済端末装置１００と接続される外部機器であり、非接触ＩＣカードリーダライタ部２４と同様の機能を有する。
【００５４】
ＰＩＮパッド４２は、ＵＳＢケーブル４２Ａを介して決済端末装置１００と接続される外部機器であり、ユーザ（例えば客）がキーパッドを使用してＰＩＮ（暗証番号）を入力するための機器である。
【００５５】
ＵＳＢハブ４３は、複数の物理ポートを有する集線装置であり、ケーブル４３Ａを介して決済端末装置１００と接続される。ＵＳＢハブ４３には、例えば、サインパッド４４及びバーコードリーダ４５が接続される。
【００５６】
サインパッド４４は、ユーザ（例えば客）がスタイラスペン等を用いて署名を入力するための機器であり、ケーブル４４Ａを介してＵＳＢハブ４３に接続される。
【００５７】
バーコードリーダ４５は、商品等に付されたバーコードを読み取るための機器であり、ケーブル４５Ａを介してＵＳＢハブ４３に接続される。
【００５８】
決済端末装置１００は、例えば、有線ネットワークＩ／Ｆ部３２、広域無線通信部３３、又は局所無線通信部３４を介して、直接又は店舗内ネットワークとしてのイントラネット６０を介してインターネット７０に接続される。決済端末装置１００は、例えば、インターネット７０を介して、接続先である決済センタ装置２００との間でカード決済処理を行う。
【００５９】
次に、コネクタ接続部１１０周辺の外観について説明する。
【００６０】
図３（Ａ），（Ｂ）は、コネクタ接続部１１０の外観例を示す模式図である。図３（Ａ）は、カバー１１１が閉じている場合のコネクタ接続部１１０の外観例を示す。図３（Ｂ）は、カバー１１１が開いている場合のコネクタ接続部１１０の外観例を示す。
【００６１】
コネクタ接続部１１０は、外部機器に接続されるケーブルや端子等のコネクタが接続される物理ポートを複数含み、例えば、ＵＳＢ＿Ｉ／Ｆ部３１、シリアルＩ／Ｆ部３７、及び有線ネットワークＩ／Ｆ部３２を含む。コネクタ接続部１１０は、外部機器接続部の一例である。
【００６２】
カバー１１１は、例えば、コネクタ接続部１１０を覆うように設けられる。カバー１１１により、電気的な接触部である物理ポートに塵や埃が付着して短絡することを抑制し、物理ポートとケーブルとの接続の緩みによりケーブルが物理ポートから離脱することを抑制する。
【００６３】
コネクタ接続部１１０は、例えば、決済端末装置１００の筐体１００Ａの背面に配置され、各種のケーブルが挿抜自在に接続される７個の物理ポート１１３Ａ〜１１３Ｇを有する。
【００６４】
図３（Ａ），（Ｂ）では、物理ポート１１３Ａ〜１１３Ｇのうち、コネクタ接続部１１０において右側の位置にある３つの物理ポート１１３Ａ，１１３Ｂ，１１３Ｃは、例えば、ＵＳＢポートである。つまり、物理ポート１１３Ａ，１１３Ｂ，１１３Ｃは、ＵＳＢ＿Ｉ／Ｆ部３１に相当する。
【００６５】
図３（Ａ），（Ｂ）では、コネクタ接続部１１０において最も左側の位置にある物理ポート１１３Ｇは、例えば、ネットワークケーブル１２１が接続されるＬＡＮポートである。つまり、物理ポート１１３Ｇは、有線ネットワークＩ／Ｆ部３２に相当する。
【００６６】
図３（Ａ），（Ｂ）では、コネクタ接続部１１０において左側から２番目の位置にある物理ポート１１３Ｆは、例えば、ＡＣケーブル（電力線）１３１が接続されるＡＣポートである。
【００６７】
図３（Ａ），（Ｂ）では、コネクタ接続部１１０において略中央の位置にある物理ポート１１３Ｄは、例えば、シリアルケーブル１５０Ａが接続されるシリアルポートである。つまり、物理ポート１１３Ｄは、シリアルＩ／Ｆ部３７に相当する。
【００６８】
図３（Ａ），（Ｂ）では、コネクタ接続部１１０において左側から３番目の位置にある物理ポート１１３Ｅは、例えば、上記以外の信号を伝送する信号ケーブル１３４が接続される信号ポートである。
【００６９】
コネクタ接続部１１０における各物理ポート１１３Ｅの配置位置は、例えば、筐体１００Ａの背面から僅かに窪んだ凹部１１０Ｂの内側に設けられる。カバー１１１は、コネクタ接続部１１０に設けられる物理ポート１１３Ａ〜１１３Ｇを覆うように、凹部１１０Ｂに装着される。例えば、カバー１１１の長手方向又は短手方向の両端部には、一対のフック（図示せず）が形成される。例えば、カバー１１１を撓めて凹部１１０Ｂに嵌めると、一対のフックが凹部１１０Ｂの周縁部と係合し、カバー１１１は筐体１００Ａに固定される。
【００７０】
尚、図３（Ａ），（Ｂ）に示すように、各物理ポート１１３Ａ〜１１３Ｇは、例えば、同じ種類のケーブル同士（例えばＵＳＢケーブル４１Ａ，４２Ａ，４３Ａ）が集まるように配置されてもよい。このように、ケーブルの種類毎に物理ポートが集中して配設されることで、ユーザ（例えばメンテナンス担当者）は、ケーブルが接続される物理ポートのおおよその位置を把握し易くなる。
【００７１】
尚、コネクタ接続部１１０が決済端末装置１００の筐体１００Ａの背面に配置されることを例示したが、筐体１００Ａの側面や前面に配置されてもよい。例えば、決済端末装置１００が設置され、コネクタ接続部１１０周辺に外部機器が多数存在し、煩雑となっている環境において、本実施形態は特に有益である。
【００７２】
次に、決済端末装置１００の動作例について説明する。
【００７３】
決済端末装置１００では、例えばＣＰＵ２１が、予め決められたメニューに従って、各種の処理を行う。
【００７４】
図４は、決済端末装置１００が行う処理のメニュー構造の一例を示す模式図である。各処理に用いられるメニュー画面及びメニュー構造（メニューの階層構造）を表すデータは、例えば、予めフラッシュＲＯＭ３５に格納される。図４に示すメニュー構造では、左側に上位の階層の処理が示され、右側に下位の階層の処理が示されている。図４では、上位の処理からツリー形式で下位の処理が展開されている。
【００７５】
図４のメニュー構造では、最上位の階層の処理は、例えば、業務メニュー（決済メニュー）、管理機能メニュー、及びシャットダウンの３つの処理に大別される。
【００７６】
業務メニューの処理は、下位の階層に、例えば、カード決済、業務、汎用の処理を含む。カード決済の処理は、決済端末装置１００が行う取引処理（決済処理）の１つであり、下位の階層に、例えば、クレジットカード決済、デビットカード決済、電子マネープリペイド決済、及び電子マネーポストペイ決済の処理を含む。クレジットカード決済の処理は、下位の階層に、例えば、磁気カード決済、及びＩＣカード決済の処理を含む。
【００７７】
磁気カード決済の処理は、下位の階層に、例えば、スキャンプロンプト、ブランド選択、金額入力、支払方法・回数入力、ＰＡＤ署名入力、決済要求送信、決済結果表示、及びレシート印刷の処理を含む。
【００７８】
スキャンプロンプトの処理は、例えば、商品の購入者に対し、決済端末装置１００が各種カード（例えば磁気カード、接触式ＩＣカード、非接触ＩＣカード）の読み取りを促す表示処理である。
【００７９】
ブランド選択の処理は、例えば、商品の購入者の要望に従って、店員が選択したクレジット会社を決済端末装置１００が受け付ける処理である。
【００８０】
金額入力の処理は、例えば、店員がバーコードリーダ１５３等を使って入力した購入商品の金額を決済端末装置１００が受け付ける処理である。
【００８１】
支払方法・回数入力の処理は、例えば、商品の購入者の要望に従って、店員が入力した支払方法及び支払回数を決済端末装置１００が受け付ける処理である。
【００８２】
ＰＡＤ署名入力の処理は、例えば、商品の購入者がサインパッド４４に書き込んだ署名を決済端末装置１００が受け付ける処理である。
【００８３】
決済要求送信の処理は、例えば、決済端末装置１００が決済センタ装置２００に決済を要求する処理である。
【００８４】
決済結果表示の処理は、例えば、決済端末装置１００が決済センタ装置２００から取得した決済の結果を表示部２９に表示する処理である。
【００８５】
レシート印刷の処理は、例えば、決済端末装置１００が内蔵プリンタ２６を起動させて購入商品のレシートを印刷する処理である。
【００８６】
ＩＣカード決済の処理は、下位の階層に、例えば、スキャンプロンプト、ブランド選択、金額入力、支払方法・回数入力、ＰＩＮ入力、決済要求送信、決済結果表示、及びレシート印刷の処理を含む。
【００８７】
ＰＩＮ入力の処理は、商品の購入者がＰＩＮパッド４２に入力したＰＩＮ（暗証番号）を決済端末装置１００が受け付ける処理である。ＩＣカード決済の処理のうちＰＩＮ入力以外の処理は、磁気カード決済の処理と同様である。
【００８８】
業務の処理は、下位の階層に、例えば、売上管理、及び販売報告レポートの処理を含む。汎用の処理は、下位の階層に、例えば、電子メール、及びネットブラウザの処理を含む。
【００８９】
管理機能メニューの処理は、下位の階層に、例えば、周辺機器設定、ソフトウェアバージョン管理、及びユーザ管理の処理を含む。周辺機器設定の処理は、下位の階層に、例えば、ＵＳＢ接続確認、ＰＩＮパッド設定、及び非接触リーダライタ設定の処理を含む。管理機能メニューの詳細については後述する。
【００９０】
次に、外部機器の接続確認に係る処理について説明する。
外部機器の接続確認作業は、ユーザ（例えばメンテナンス担当者）により行われる。
【００９１】
図５は、ＵＳＢ接続確認時の決済端末装置１００の動作例を示すフローチャートである。図６（Ａ）〜（Ｄ）及び図７（Ａ）〜（Ｄ）は、入力操作に従って遷移するタッチパネル３０の画面例を示す模式図である。
【００９２】
ＣＰＵ２１は、表示部２９にルートメニュー（トップメニュー）の項目を表示させ、タッチ入力部２８を介してユーザによる選択操作の入力を受け付ける（Ｓ１）。
【００９３】
ＣＰＵ２１は、選択されたメニュー項目が管理機能メニューであるか否かを判別する（Ｓ２）。管理機能メニューでない場合、ＣＰＵ２１は、選択された他のメニュー項目の処理を行い（Ｓ１３）、本動作を終了する。
【００９４】
Ｓ２において選択されたメニュー項目が管理機能メニューである場合、ＣＰＵ２１は、表示部２９に管理機能メニューの画面を表示させ、タッチ入力部２８を介してユーザ（例えばメンテナンス担当者）による選択操作の入力を受け付ける（Ｓ３）。
【００９５】
図６（Ａ）は、表示部２９に表示された管理機能メニューの画面例を示す。管理機能メニューの画面には、周辺機器設定、ソフトウェアバージョン管理、及びユーザ管理の項目が選択可能に表示される。
【００９６】
ＣＰＵ２１は、周辺機器設定の項目８１が選択されたか否かを判別する（Ｓ４）。周辺機器設定の項目８１が選択されていない場合、ＣＰＵ２１は、選択された他のメニュー項目の処理を行い（Ｓ１３）、本動作を終了する。
【００９７】
Ｓ４において周辺機器設定の項目８１が選択された場合、即ち、ユーザが周辺機器設定の項目８１をタッチ入力すると、ＣＰＵ２１は、図６（Ｂ）に示すように、周辺機器設定の項目８１を反転表示に切り替える。そして、ＣＰＵ２１は、この選択が再度のタッチ入力等により確定すると、表示部２９に周辺機器設定の画面を表示させ、タッチ入力部２８を介してユーザによる選択操作の入力を受け付ける（Ｓ５）。
【００９８】
図６（Ｃ）は、表示部２９に表示された周辺機器設定の画面例を示す。周辺機器設定の画面には、ＵＳＢ接続確認、ＰＩＮパッド設定（ＩＣピンパッド設定）、及び非接触リーダライタ設定の項目が選択可能に表示される。
【００９９】
ＣＰＵ２１は、ＵＳＢ接続確認の項目８２が選択されたか否かを判別する（Ｓ６）。ＵＳＢ接続確認の項目８２が選択されていない場合、ＣＰＵ２１は、選択された他のメニュー項目の処理を行い（Ｓ１３）、本動作を終了する。
【０１００】
Ｓ６においてＵＳＢ接続確認の項目８２が選択された場合、即ち、ユーザがＵＳＢ接続確認の項目８２をタッチ入力すると、ＣＰＵ２１は、図６（Ｄ）に示すように、ＵＳＢ接続確認の項目８２を反転表示に切り替える。そして、ＣＰＵ２１は、この選択が再度のタッチ入力等により確定すると、コネクタ接続部１１０の各ＵＳＢポートへの接続状態を確認する。この場合、ＣＰＵ２１は、ＲＡＭ３６等を参照して、各ＵＳＢポートの名称（物理ポート名）と、コネクタ接続部１１０の各ＵＳＢポートに対応付けられた外部機器の名称（接続デバイス名）と、の情報を取得する（Ｓ７）。尚、外部機器が接続されたＵＳＢポートに対応する物理ポート名及び接続デバイス名に限り情報が取得されてもよいし、外部機器が接続されていないＵＳＢポートに対応する物理ポート名を含めて情報が取得されてもよい。
【０１０１】
なお、前述の物理ポート名及び接続デバイス名は、識別し易いように、変換、変形又は省略されて、表示部２９に表示されてもよい。例えば、ＣＰＵ２１は、接続デバイス名「ＡＢＣ  Ｃｏｍｐａｎｙ  ＰＩＮＰＡＤ  ＰＰＤ−４３１２Ａ」を、予めＲＡＭ３６に備えた表に記載されている名称「ＰＩＮパッド」に変換し、表示部２９に表示させてもよい。このような変換、変換、変形又は省略により、接続デバイス名は、操作者にとって見易く、判別しやすくなる。
【０１０２】
例えば、ＲＡＭ３６には、ＣＰＵ２１が各ＵＳＢポートに対してポートスキャンを実行することにより特定された接続デバイス名や物理ポート名が、ＵＳＢポートに対応付けて記憶される。ＣＰＵ２１は、例えば、ＲＡＭ３６からＵＳＢポート毎の接続デバイス名を読み出し、取得する。
【０１０３】
尚、ＣＰＵ２１は、コネクタ接続部１１０のＵＳＢポートに、ＵＳＢ端子が挿し込まれた又は抜かれたことをイベントとして検出した場合、コネクタ接続部１１０のポートスキャンを実行し、ＵＳＢ接続を確認してＲＡＭ３６に記憶するようにしてもよい。これにより、ＣＰＵ２１は、コネクタ接続部１１０の接続状態（例えばＳ８における表示内容）を最新状態に更新できる。尚、ＣＰＵ２１は、ＵＳＢ端子以外のネットワーク端子、ＡＣ端子についても同様にスキャンしてもよい。
【０１０４】
ＣＰＵ２１は、取得された接続デバイス名と物理ポート名とを紐付けて（対応付けて）、表示部２９に表示させる（Ｓ８）。
【０１０５】
図７（Ａ）は、表示部２９に表示されたＵＳＢ接続デバイスの一覧の画面例を示す。ＵＳＢ接続デバイスは、ＵＳＢポートに接続されたデバイス（外部機器）である。図７（Ａ）の画面には、接続デバイス名（製品名）と物理ポート名（接続先）とが対で選択可能に表示される。
【０１０６】
例えば、製品名「非接触リーダライタ」と接続先「ＵＳＢ１」とが対で表示される。製品名「ＩＣピンパッド」と接続先「ＵＳＢ２」とが対で表示される。製品名「サインパッド」と接続先「Ｈｕｂ」とが対で表示される。製品名「バーコードリーダ」と接続先「Ｈｕｂ」とが対で表示される。「Ｈｕｂ」とは、例えばＵＳＢハブである。
【０１０７】
ＣＰＵ２１は、表示部２９に表示されたＵＳＢ接続デバイスの一覧の下方に、コネクタ接続部１１０の全体の配置を示す画像（ポート配置図の画像）を表示する（Ｓ９）。この場合、ＣＰＵ２１は、ＲＡＭ３６等を参照して、ポート配置図の情報を取得する。
【０１０８】
ポート配置図は、例えば、撮像装置（不図示）によりコネクタ接続部１１０周辺が撮像された写真でもよいし、コネクタ接続部１１０を模したイラストでもよい。また、ポート配置図は、一部が省略して表示されてもよい。
【０１０９】
尚、Ｓ９は省略されてもよい。図７（Ａ）では、Ｓ９の処理が省略され、ポート配置図が表示部２９に表示されていない場合を示す。
【０１１０】
ＣＰＵ２１は、表示部２９に表示された、複数の接続デバイス名と物理ポート名との中から、タッチ入力部２８に対してユーザがいずれか１つをタッチ入力して選択することで、選択操作の情報を取得する（Ｓ１０）。この選択は、例えば、製品名と接続先との少なくとも１つをタッチ入力することで行われる。
【０１１１】
ＣＰＵ２１は、Ｓ１０において選択された接続デバイス名又は物理ポート名に係る物理ポートの、コネクタ接続部１１０に対する配置位置の情報を取得する（Ｓ１１）。当該配置位置の情報は、例えばＲＡＭ３６に記憶される。
【０１１２】
ＣＰＵ２１は、取得された配置位置、つまりＵＳＢポートのコネクタ接続部１１０に対する相対的な位置の情報を基に、ポート配置図にＵＳＢポートを視認可能な識別情報８５を付加して表示する（Ｓ１２）。従って、識別情報８５は、接続デバイス名や物理ポート名に対応して表示される。
【０１１３】
尚、以下では、ポート配置図、又はポート配置図に識別情報８５が付された画像を、「ポート識別画像」とも称する。Ｓ１２では、ポート識別画像８０が表示される。識別情報８５は、例えば、図７（Ｂ），（Ｃ），（Ｄ）に示すように、ＵＳＢポートを囲むマーク（例えば矩形のマーク）、矢印（例えばＵＳＢポートを指し示す矢印）で表される。尚、コネクタ位置を判別できれば、矩形のマーク及び矢印以外の識別情報によりＵＳＢポートの配置位置が示唆されてもよい。
【０１１４】
図７（Ｂ）では、接続先としてＵＳＢ１が選択された場合、例えば、コネクタ接続部１１０の最も右側にあるＵＳＢポートを囲むように、識別情報８５が表示される。
【０１１５】
図７（Ｃ）では、接続先としてＵＳＢ２が選択された場合、例えば、コネクタ接続部１１０の右側から２番目にあるＵＳＢポートを囲むように、識別情報８５が表示される。
【０１１６】
図７（Ｄ）では、接続先としてＨｕｂが選択された場合、例えば、コネクタ接続部１１０の右側から３番目にあるＵＳＢポートを囲むように、識別情報８５が表示される。この後、ＣＰＵ２１は、本動作を終了する。
【０１１７】
尚、図５に示したＵＳＢ接続確認は、外部機器の接続確認の一例である。例えば、ネットワークケーブル、ＡＣケーブル、又はその他の信号ケーブルが物理ポートに接続された場合でも、各物理ポートへの接続確認に関して図５と同様の動作が行われる。
【０１１８】
図６の動作例によれば、ユーザは、接続デバイス名、物理ポート名、又はポート識別画像を参照して、接続デバイス名又は物理ポート名に対応する物理ポートの配置位置を容易に探索できる。また、ユーザは、例えば、物理ポートや物理ポートに接続されるコネクタの形状、外部機器が接続された物理ポートと隣り合う物理ポートの使用状態を把握でき、各物理ポートに対してケーブルや端子を容易に挿抜できる。
【０１１９】
尚、ＣＰＵ２１は、例えば、接続デバイス名と、物理ポート名又はポート識別画像と、を表示部２９に表示させてもよい。つまり、物理ポートを識別するための情報のうち、２つの情報が表示されてもよい。よって、物理ポート名の表示が省略されてもよい。また、ＣＰＵ２１は、例えば、接続デバイス名、物理ポート名、及びポート識別画像を表示部２９に表示させてもよい。つまり、物理ポートを識別するための情報のうち、３つの情報が表示されてもよい。
【０１２０】
尚、識別情報８５は、矩形のマークや矢印に限らず、例えば、指先を表すマークやチェックマーク等の記号でもよい。また、ＣＰＵ２１により単にポート識別画像において物理ポートを含む範囲の色や模様を変更することで、識別情報８５としてもよい。また、識別情報８５が、単なるテキスト情報、例えば「コネクタ位置はコネクタ接続部１１０における右から２番目です。」等のメッセージ、であってもよい。
【０１２１】
このように、決済端末装置１００は、例えば、ユーザがＰＩＮパッド４２を交換する際、表示部２９にＵＳＢ接続デバイスの一覧（例えば図７（Ａ）参照）を表示させる。ユーザは、交換対象であるＰＩＮパッド４２の接続先（物理ポート）がＵＳＢ２であることを把握する。この段階で、ユーザは、コネクタ接続部１１０におけるＵＳＢ２のＵＳＢポートの配置位置を認識している場合、ＵＳＢポートに接続されているＵＳＢ端子を引き抜くことで、ＰＩＮパッド４２に繋がれたケーブル４２Ａを決済端末装置１００から取り外せる。
【０１２２】
一方、接続先がＵＳＢ２であることを把握しても、ＵＳＢ２のＵＳＢポートの配置位置を認識していない場合、ユーザは、コネクタ接続部１１０におけるＵＳＢ２のＵＳＢポートの配置位置を知る必要がある。この場合、ユーザは、タッチ入力部２８に対し、表示部２９に表示された製品名であるＩＣピンパッド又は接続先名であるＵＳＢ２にタッチ入力し、ＣＰＵ２１によりポート識別画像８０を表示部２９に表示させる。
【０１２３】
ユーザは、表示部２９に表示されたポート識別画像８０を確認し、ＵＳＢ２がコネクタ接続部１１０の右から２番目のＵＳＢポート（例えば図７（Ｃ）参照）であることを視認できる。従って、ユーザは、このＵＳＢポートに接続されているＵＳＢ端子を引き抜くことで、ＰＩＮパッド４２に繋がれたケーブル４２Ａを決済端末装置１００から取り外せる。
【０１２４】
従って、コネクタ接続部１１０がカバー１１１で覆われていて、ユーザが物理ポートを直接に目視することが困難な場合でも、物理ポートを容易に特定できる。よって、ユーザは、ケーブルを辿ってコネクタ接続部１１０における物理ポートの接続箇所を確認する手間を低減でき、ケーブルや端子の抜き差しが簡単になる。
【０１２５】
また、決済端末装置１００は、入力操作を受け付けた場合に各物理ポートの位置の情報を表示するので、迅速にユーザの要求に応えることができる。一方、各物理ポートの位置の情報が不要である場合、ユーザが入力操作を行わないことで、ＣＰＵ２１による各物理ポートの位置の情報の表示処理にかかる負荷を軽減できる。
【０１２６】
また、ユーザは、例えば、決済端末装置１００を修理、点検、又は移設するために、コネクタ接続部１１０の物理ポートに接続された各種の外部機器を取り外す場合でも、外部機器を容易に挿抜できる。よって、決済端末装置１００のメンテナンス、保守、修理等の作業効率を向上できる。
【０１２７】
また、決済端末装置１００が設置されたレジカウンタ３００が煩雑な環境にあり、外部機器がコネクタ接続部１１０におけるどの物理ポートに接続されているかを目視することが難しい場合でも、ユーザは、外部機器を容易に挿抜できる。
【０１２８】
また、コネクタ接続部１１０がカバー１１１で覆われており、挿抜対象となる外部機器が接続される物理ポートの目視が困難でも、ユーザは、外部機器を容易に挿抜できる。
【０１２９】
また、各物理ポートに接続された多くのケーブルがスパイラルチューブ状に束ねられ、挿抜対象となる外部機器が接続される物理ポートの目視が困難でも、ユーザは、外部機器を容易に挿抜できる。
【０１３０】
また、レジカウンタ３００の下にケーブル等が配線され、挿抜対象となる外部機器が接続される物理ポートの目視が困難でも、ユーザは、外部機器を容易に挿抜できる。
【０１３１】
また、外部機器に繋がるケーブルが多数張り巡らされている状況でも、ユーザは、挿抜対象となる外部機器が接続された物理ポートの位置を容易に特定できる。
【０１３２】
（変形例）
次に、ポート識別画像８０の表示の変形例について説明する。
【０１３３】
図５の動作では、ＵＳＢ接続デバイスの一覧の画面において、タッチ入力部２８を介して製品名又は接続先が選択入力されると、ポート識別画像８０が表示されることを例示した。これに限られず、ＣＰＵ２１は、ポート識別画像８０が段階的に変化し、順次遷移して表示させてもよい。
【０１３４】
図８（Ａ）は、入力操作が繰り返し行われることによって順次遷移するポート識別画像の一例を示す模式図である。
【０１３５】
先ほども述べたように、ＣＰＵ２１は、取得された配置位置、つまりＵＳＢポートのコネクタ接続部１１０に対する相対的な位置の情報を基に、ポート配置図にＵＳＢポートを視認可能な識別情報８５を付加して表示する（図５のＳ１２）。表示部２９にＵＳＢ接続デバイスの一覧が表示された画面（図７（Ａ）参照）において、タッチ入力部２８を介して製品名又は接続先が選択入力されると、ＣＰＵ２１は、デフォルトのポート識別画像８０ｃを含む画面を表示させる。ポート識別画像８０ｃは、識別情報８５によりコネクタ接続部１１０における物理ポートの位置を示し、前述した図７（Ｃ）に示すポート識別画像８０と同じである。すなわち図８（Ａ）に示すポート識別画像８０ｃでは、コネクタ接続部１１０の右側から２番目にあるＵＳＢポート（ＵＳＢ２）を囲むように、識別情報８５が表示される。
【０１３６】
ポート識別画像８０ｃが表示された状態で、タッチ入力部２８を介して、再度、製品名又は接続先が選択されると、ＣＰＵ２１は、ポート識別画像８０ｄを含む画面に遷移させる。ポート識別画像８０ｄは、識別情報８５によりコネクタ位置が表されたコネクタ接続部１１０の一部を表す画像である。ポート識別画像８０ｄは、例えば、選択された製品名又は接続先に対応する物理ポート周辺の拡大画像である。
【０１３７】
ポート識別画像８０ｄが表示された状態で、タッチ入力部２８を介して、再度、製品名又は接続先が選択されると、ＣＰＵ２１は、ポート識別画像８０ａを含む画面に遷移させる。ポート識別画像８０ａは、コネクタ接続部１１０を含む決済端末装置１００の外観例を表す画像である。ユーザは、例えば図中の矢印を参照することで、決済端末装置１００の筐体１００Ａに対してどの位置にコネクタ接続部１１０が設けられているか、おおまかな位置を把握できる。
【０１３８】
ポート識別画像８０ａが表示された状態で、タッチ入力部２８を介して、再度、製品名又は接続先が選択されると、ＣＰＵ２１は、ポート識別画像８０ｂを含む画面に遷移させる。ポート識別画像８０ｂは、例えば、コネクタ接続部１１０が配置された、決済端末装置１００の背面を表す画像である。これにより、ユーザは、物理ポートの他、コネクタ接続部１１０の決済端末装置１００における配置位置を把握できる。
【０１３９】
ポート識別画像８０ｂが表示された状態で、タッチ入力部２８を介して、再度、製品名又は接続先が選択されると、表示部２９は、デフォルトのポート識別画像８０ｃを含む画面に遷移させる。
【０１４０】
このように、決済端末装置１００は、例えば、ポート識別画像８０ａ〜８０ｄをサイクリックに遷移して表示してもよい。これにより、ユーザは、外部機器が接続されている物理ポートの配置位置を段階的に容易に認識できる。
【０１４１】
尚、決済端末装置１００は、上述した順序とは逆順序で遷移して表示してもよい。また、決済端末装置１００は、選択操作により最初に表示されるデフォルトのポート識別画像を、ポート識別画像８０ｃ以外の画像としてもよい。
【０１４２】
また、決済端末装置１００は、ポート識別画像をサイクリックに遷移させるのではなく、いずれかのポート識別画像を最終遷移画像としてもよい。例えば、決済端末装置１００は、決済端末装置１００の全体が表示される画像から物理ポートの位置が拡大表示される画像に向かって一方向に遷移させてもよいし、物理ポートの位置が拡大表示される画像から決済端末装置１００の全体が表示される画像に向かって一方向に遷移させてもよい。
【０１４３】
図８（Ｂ）は、物理ポートがＵＳＢハブの物理ポートである場合に、入力操作が繰り返し行われることによって順次遷移するポート識別画像の一例を示す模式図である。
【０１４４】
先ほども述べたように、ＣＰＵ２１は、取得された配置位置、つまりＵＳＢポートのコネクタ接続部１１０に対する相対的な位置の情報を基に、ポート配置図にＵＳＢポートを視認可能な識別情報８５を付加して表示する（図５のＳ１２）。ポート識別画像８０ｅは、図７（Ｄ）に示すポート識別画像８０と同じデフォルトのポート識別画像である。すなわち図８（Ｂ）に示すポート識別画像８０ｅでは、コネクタ接続部１１０の右側から３番目にあって、ＵＳＢハブ４３（図１参照）が接続されているＵＳＢポートを囲むように、識別情報８５が表示される。ポート識別画像８０ｅが表示された状態で、タッチ入力部２８を介して、再度、製品名又は接続先が選択されると、ＣＰＵ２１は、ポート識別画像８０ｆを含む画面に遷移させる。ポート識別画像８０ｆには、ＵＳＢハブ４３（図１参照）が備える４つのＵＳＢポートの画像が表示される。
【０１４５】
ポート識別画像８０ｆでは、決済端末装置１００に接続されるＵＳＢハブ４３に外部機器が接続された物理ポートの位置が、識別情報８５により示されている。図８（Ｂ）のポート識別画像８０ｆは、例えばサインパッド４４（図１参照）が、４つのＵＳＢポートを備えるＵＳＢハブ４３の一番左側のＵＳＢポートに接続されていることを示している。これにより、ユーザは、ＵＳＢハブ４３におけるどの物理ポートの位置に外部機器が接続されているかを、決済端末装置１００の表示部２９を参照して認識できる。
【０１４６】
図８（Ｂ）のポート識別画像８０ｆが表示された状態で、タッチ入力部２８を介して、再度、製品名又は接続先が選択されると、ＣＰＵ２１は、ポート識別画像８０ｅを含む画面に遷移させる。
【０１４７】
このように、決済端末装置１００は、例えば、ポート識別画像８０ｅ〜８０ｆをサイクリックに遷移して表示してもよい。これにより、ユーザは、対象となる外部機器が接続されている物理ポートの位置を段階的に容易に認識できる。また、決済端末装置１００は、ＵＳＢハブ４３における各物理ポートの位置を含めて、ポート識別画像をサイクリックに遷移して表示してもよい。
【０１４８】
尚、決済端末装置１００は、上述した順序とは逆順序で遷移して表示してもよい。また、決済端末装置１００は、選択操作により最初に表示されるデフォルトのポート識別画像を、ポート識別画像８０ｆの画像としてもよい。また、決済端末装置１００は、ポート識別画像をサイクリックに遷移させるのではなく、いずれかのポート識別画像を最終遷移画像としてもよい。
【０１４９】
以上、図面を参照しながら実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１５０】
上記実施形態では、物理ポートとして、ＵＳＢポートの他、ＬＡＮポート、ＵＳＢポート、キーボードポート、マウスポート、ＩｒＤＡ（Ｉｎｆｒａｒｅｄ  Ｄａｔａ  Ａｓｓｏｃｉａｔｉｏｎ）（赤外線）ポート等が挙げられる。
【０１５１】
上記実施形態では、取引処理装置として決済端末装置１００を例示したが、ＰＯＳ端末装置等にも適用可能である。
【０１５２】
上記実施形態では、取引処理装置は、据え置き型の決済端末装置１００であることを例示したが、可搬型の決済端末装置１００でもよい。例えば、可搬型の決済端末装置１００が、レジカウンタ３００の煩雑な環境に配置されることを想定してもよい。
【０１５３】
上記実施形態では、例えば、上記実施形態の機能を実現する接続表示方法をコンピュータに実行させるためのプログラムを、ネットワーク又は各種記憶媒体を介して取引処理装置に供給し、この取引処理装置のコンピュータが読み出して実行するプログラムも適用範囲である。これにより、既設の取引処理装置に搭載して、上記接続表示方法を実行させることが可能である。
【０１５４】
上記実施形態では、表示部２９に表示される外部機器の名称は、外部機器を識別可能な名称（例えば、外部機器の一般名称、略称、記号）であればよい。同様に、表示部２９に表示される接続先は、物理ポートとして一般的な名称の他、記号等でもよい。
【０１５５】
また、表示部２９は、物理ポートがＵＳＢハブ４３用の物理ポートである場合、ＵＳＢハブ４３内の物理ポートを、コネクタ接続部１１０の物理ポートと併せて表示してもよい。これにより、ＵＳＢハブ４３が目視し難い場所に置かれても、ＵＳＢハブ４３における物理ポートの位置を容易に把握可能である。
【０１５６】
（本発明の一態様の概要）
本発明の一態様の取引処理装置は、外部機器を用いて取引処理を行う取引処理装置であって、前記外部機器が接続される接続口を複数有する外部機器接続部と、前記外部機器の情報を表示する表示部と、前記表示部による表示を制御する制御部と、を備え、前記制御部は、前記接続口に接続された外部機器が有する機能を識別可能な機能名称と、前記外部機器が接続された接続口に関する接続口情報と、を対応付けて前記表示部に表示させる。
【０１５７】
この構成によれば、外部機器の増設、撤去又は故障機器の交換などを行うにあたって、各外部機器との接続状態の把握に要する時間と手間を削減できる。そして、この構成によれば、増設、撤去又は交換の対象となる機器が接続されたコネクタ位置を容易に特定できる。例えば、ユーザは、外部機器の機能の情報（例えば外部機器の名称）と、接続口に関する情報と、の表示を元に、外部機器が接続された接続口の配置位置を把握できる。よって、取引処理装置のメンテナンス、保守、修理等の作業効率を向上できる。
【０１５８】
本発明の一態様の取引処理装置は、前記接続口情報が、前記外部機器が接続された接続口の識別情報、又は、前記外部機器接続部に対する前記外部機器が接続された接続口の位置情報を含む。
【０１５９】
この構成によれば、例えば、接続口の識別情報（例えば物理ポート名）、接続口の配置位置の情報（例えば配置関係図）の表示を元に、外部機器が接続された接続口の配置位置を把握できる。
【０１６０】
本発明の一態様の取引処理装置は、前記制御部が、前記機能名称、前記接続口の識別情報、及び前記接続口の位置情報を対応付けて前記表示部に表示させる。
【０１６１】
この構成によれば、外部機器が接続された接続口の配置位置を特定するための情報を多数表示するので、この配置位置をより容易に把握できる。
【０１６２】
本発明の一態様の取引処理装置は、入力操作を受け付ける入力操作部を備え、前記制御部が、前記入力操作部により前記機能名称又は前記接続口の識別情報に対する入力操作が受け付けられた場合、前記機能名称又は前記接続口の識別情報に対応付けられた前記接続口の位置情報を前記表示部に表示させる。
【０１６３】
この構成によれば、ユーザは、所望のタイミングにおいて入力操作を行い、外部機器が接続された接続口の配置位置を把握できる。
【０１６４】
本発明の一態様の取引処理装置は、前記制御部が、前記入力操作部により前記機能名称又は前記接続口の識別情報に対する入力操作が反復して受け付けられた場合、前記機能名称又は前記接続口の識別情報に対応付けられた前記接続口の位置情報と、当該取引処理装置に対する前記外部機器接続部の配置位置の情報と、を切り替えて前記表示部に表示させる。
【０１６５】
この構成によれば、ユーザは、外部機器接続部の配置位置、外部機器が接続された接続口を段階的に把握できる。
【０１６６】
本発明の一態様の取引処理装置は、前記接続口の位置情報が、前記外部機器接続部に対する前記外部機器が接続された接続口の配置位置を示す画像情報を含む。
【０１６７】
この構成によれば、ユーザは、接続口の配置位置を視覚的に容易に認識できる。
【０１６８】
本発明の一態様の取引処理装置は、前記外部機器接続部を覆うカバーを備える。
【０１６９】
この構成によれば、外部機器接続部がカバーに覆われて直接目視で接続口を確認することが困難な場合でも、外部機器が接続された接続口の配置位置を容易に把握することが可能でありながら、例えば、接続口から外部機器のケーブル等が抜けること、接続口に塵や埃が溜まることを抑制できる。
【０１７０】
本発明の一態様の取引処理装置は、前記外部機器が設置される設置台に設置される。
【０１７１】
この構成によれば、例えば、取引処理装置に接続される外部機器が多数配置され、取引処理装置の周辺が煩雑な環境でも、外部機器が接続された接続口の配置位置を容易に把握できる。
【０１７２】
本発明の一態様の取引処理装置は、前記接続口には、挿抜自在に取り付けられるケーブルを介して前記外部機器が接続される。
【０１７３】
この構成によれば、ユーザは、例えば外部機器に繋がるケーブルが多数張り巡らされた状況でも、ケーブルを辿る手間を省略して、外部機器が接続された接続口の配置位置を容易に把握できる。
【０１７４】
本発明の一態様の接続表示方法は、外部機器を用いて取引処理を行う取引処理装置における接続表示方法であって、前記外部機器が接続される接続口に接続された外部機器が有する機能を識別可能な機能名称と、前記外部機器が接続された接続口に関する接続口情報と、を取得するステップと、前記取得された前記機能名称と前記接続口情報とを対応付けて表示部により表示するステップと、を備える。
【０１７５】
この方法によれば、外部機器の増設、撤去又は故障機器の交換などを行うにあたって、各外部機器との接続状態の把握に要する時間と手間を削減できる。そして、増設、撤去又は交換の対象となる機器が接続されたコネクタ位置を容易に特定できる。例えば、ユーザは、外部機器の機能の情報（例えば外部機器の名称）と、接続口に関する情報と、の表示を元に、外部機器が接続された接続口の配置位置を把握できる。よって、取引処理装置のメンテナンス、保守、修理等の作業効率を向上できる。
【０１７６】
本発明の一態様の接続表示プログラムは、上記接続表示方法の各ステップをコンピュータに実行させるためのプログラムである。
【０１７７】
このプログラムによれば、外部機器の増設、撤去又は故障機器の交換などを行うにあたって、各外部機器との接続状態の把握に要する時間と手間を削減できる。そして、増設、撤去又は交換の対象となる機器が接続されたコネクタ位置を容易に特定できる。例えば、ユーザは、外部機器の機能の情報（例えば外部機器の名称）と、接続口に関する情報と、の表示を元に、外部機器が接続された接続口の配置位置を把握できる。よって、取引処理装置のメンテナンス、保守、修理等の作業効率を向上できる。
【産業上の利用可能性】
【０１７８】
本発明は、外部機器の増設、撤去又は故障機器の交換などを行うにあたって、各外部機器との接続状態の把握に要する時間と手間を削減でき、増設、撤去又は交換の対象となる機器が接続された接続口の位置を容易に特定できる取引処理装置、接続表示方法及び接続表示プログラム等に有用である。
【符号の説明】
【０１７９】
５  決済システム
２１  ＣＰＵ
２２  磁気カードリーダ部
２３  接触ＩＣカードリーダライタ部
２４  非接触ＩＣカードリーダライタ部
２４Ａ  ループアンテナ部
２５  プリンタＩ／Ｆ部
２６  内蔵プリンタ
２７  キー入力部
２８  タッチ入力部
２９  表示部
３０  タッチパネル
３１  ＵＳＢ＿Ｉ／Ｆ部
３２  有線ネットワークＩ／Ｆ部
３３  広域無線通信部
３３Ａ  広域無線通信アンテナ
３４  局所無線通信部
３４Ａ  局所無線通信アンテナ
３５  フラッシュＲＯＭ
３６  ＲＡＭ
３７  シリアルＩ／Ｆ部
４１  非接触ＩＣカードリーダライタ
４１Ａ，４２Ａ，４３Ａ，４４Ａ，４５Ａ  ＵＳＢケーブル
４２  ＰＩＮパッド
４３  ＵＳＢハブ
４４  サインパッド
４５  バーコードリーダ
６０  イントラネット
７０  インターネット
８０，８０ａ〜８０ｆ  ポート識別画像
８１，８２  項目
８５  識別情報
１００  決済端末装置
１００Ａ  筐体  
１１０  コネクタ接続部
１１０Ｂ  凹部
１１１  カバー
１１３Ａ〜１１３Ｇ  物理ポート
１２１  ネットワークケーブル
１３１  ＡＣケーブル
１３４  信号ケーブル
１５０Ａ  シリアルケーブル
１５１  端末部
１５２  ディスプレイ
１５３  バーコードリーダ
２００  決済センタ装置
３００  レジカウンタ
【図１】
2016081354.tif 000003
【図２】
2016081354.tif 000004
【図３】
2016081354.tif 000005
【図４】
2016081354.tif 000006
【図５】
2016081354.tif 000007
【図６】
2016081354.tif 000008
【図７】
2016081354.tif 000009
【図８】
2016081354.tif 000010